【手続補正書】
【提出日】平成28年9月30日(2016.9.30)
【手続補正１】
【補正対象書類名】特許請求の範囲
【補正対象項目名】全文
【補正方法】変更
【補正の内容】
【特許請求の範囲】
【請求項１】
遊技球が入球可能な始動口と、
主遊技用識別情報を変動表示及び停止表示可能な主遊技用識別情報表示部と、
副遊技用識別情報を変動表示及び停止表示可能な副遊技用識別情報表示部を少なくとも有する、情報を表示可能な情報表示部と、
遊技の進行を制御する主遊技部と、
情報表示部への情報表示を制御する副遊技部と
を備え、
主遊技部は、
始動口への入球に基づき乱数を取得する乱数取得手段と、
前記乱数に基づく当否判定結果に従い、主遊技用識別情報表示部にて主遊技用識別情報を変動表示させた後に主遊技用停止識別情報を停止表示するよう制御する主遊技用識別情報表示制御手段と、
主遊技用識別情報表示部に停止表示された主遊技用停止識別情報が所定態様であった場合、遊技者にとって有利な特別遊技を実行し得る特別遊技制御手段と
を備え、
副遊技部は、
主遊技用識別情報が変動表示されている期間内において、副遊技用識別情報を副遊技用識別情報表示部上にて変動表示開始した後から確定的に停止表示するまでを本変動として実行可能であり、本変動内において副遊技用識別情報を暫定的に停止表示した後で再び変動表示する擬似変動を一又は複数回実行可能な副遊技用識別情報表示制御手段
を備え、
特別遊技の実行期待度が高いことを示唆する画像表示を伴う特殊ゾーン演出を情報表示部にて実行可能であり、特殊ゾーン演出として、１の本変動の実行途中から当該１の本変動内において実行する第１特殊ゾーン演出と、１又は複数の本変動に亘って実行する第２特殊ゾーン演出とのいずれかを実行可能であり、
第１特殊ゾーン演出が実行される場合には、擬似変動を伴う本変動内において、擬似変動が実行される際に特殊図柄を含む副遊技用識別情報の組合せが停止表示されたことに対応して、第１特殊ゾーン演出が実行開始される一方で、
第２特殊ゾーン演出が実行される場合には、或る本変動内において、特殊図柄を含む副遊技用識別情報の組合せが停止表示されたことに対応して、第２特殊ゾーン演出が実行開始されるよう構成されており、
第１特殊ゾーン演出が実行される場合に停止表示される特殊図柄を含む副遊技用識別情報の組合せと、第２特殊ゾーン演出が実行される場合に停止表示される特殊図柄を含む副遊技用識別情報の組合せと、が異なるよう構成されている
ことを特徴とするぱちんこ遊技機。
【手続補正２】
【補正対象書類名】明細書
【補正対象項目名】０００６
【補正方法】変更
【補正の内容】
【０００６】
本態様に係るぱちんこ遊技機は、
遊技球が入球可能な始動口と、
主遊技用識別情報を変動表示及び停止表示可能な主遊技用識別情報表示部と、
副遊技用識別情報を変動表示及び停止表示可能な副遊技用識別情報表示部を少なくとも有する、情報を表示可能な情報表示部と、
遊技の進行を制御する主遊技部と、
情報表示部への情報表示を制御する副遊技部と
を備え、
主遊技部は、
始動口への入球に基づき乱数を取得する乱数取得手段と、
前記乱数に基づく当否判定結果に従い、主遊技用識別情報表示部にて主遊技用識別情報を変動表示させた後に主遊技用停止識別情報を停止表示するよう制御する主遊技用識別情報表示制御手段と、
主遊技用識別情報表示部に停止表示された主遊技用停止識別情報が所定態様であった場合、遊技者にとって有利な特別遊技を実行し得る特別遊技制御手段と
を備え、
副遊技部は、
主遊技用識別情報が変動表示されている期間内において、副遊技用識別情報を副遊技用識別情報表示部上にて変動表示開始した後から確定的に停止表示するまでを本変動として実行可能であり、本変動内において副遊技用識別情報を暫定的に停止表示した後で再び変動表示する擬似変動を一又は複数回実行可能な副遊技用識別情報表示制御手段
を備え、
特別遊技の実行期待度が高いことを示唆する画像表示を伴う特殊ゾーン演出を情報表示部にて実行可能であり、特殊ゾーン演出として、１の本変動の実行途中から当該１の本変動内において実行する第１特殊ゾーン演出と、１又は複数の本変動に亘って実行する第２特殊ゾーン演出とのいずれかを実行可能であり、
第１特殊ゾーン演出が実行される場合には、擬似変動を伴う本変動内において、擬似変動が実行される際に特殊図柄を含む副遊技用識別情報の組合せが停止表示されたことに対応して、第１特殊ゾーン演出が実行開始される一方で、
第２特殊ゾーン演出が実行される場合には、或る本変動内において、特殊図柄を含む副遊技用識別情報の組合せが停止表示されたことに対応して、第２特殊ゾーン演出が実行開始されるよう構成されており、
第１特殊ゾーン演出が実行される場合に停止表示される特殊図柄を含む副遊技用識別情報の組合せと、第２特殊ゾーン演出が実行される場合に停止表示される特殊図柄を含む副遊技用識別情報の組合せと、が異なるよう構成されている
ことを特徴とするぱちんこ遊技機である。
＜付記＞
尚、本態様とは異なる別態様について以下に列記しておくが、これらには何ら限定されることなく実施することが可能である。
本別態様に係るぱちんこ遊技機は、
遊技球が入球可能な始動口（例えば、第１主遊技始動口Ａ１０、第２主遊技始動口Ｂ１０）と、
主遊技用識別情報を変動表示及び停止表示可能な主遊技用識別情報表示部（例えば、第１主遊技図柄表示部Ａ２１ｇ、第２主遊技図柄表示部Ｂ２１ｇ）と、
副遊技用識別情報を変動表示及び停止表示可能な副遊技用識別情報表示部（例えば、装飾図柄表示領域ＳＧ１１）を少なくとも有する、情報を表示可能な情報表示部（例えば、演出表示装置ＳＧ）と、
遊技の進行を制御する主遊技部（例えば、主制御基板Ｍ）と、
情報表示部（例えば、演出表示装置ＳＧ）への情報表示を制御する副遊技部（例えば、副制御基板Ｓ）と
を備え、
主遊技部（例えば、主制御基板Ｍ）は、
始動口への入球に基づき乱数を取得する乱数取得手段（例えば、第１主遊技始動口Ａ１０、第２主遊技始動口Ｂ１０）と、
乱数取得手段（例えば、第１主遊技乱数取得判定実行手段ＭＪ２１‐Ａ、第２主遊技乱数取得判定実行手段ＭＪ２１‐Ｂ）により乱数が取得された場合、主遊技用識別情報の変動表示開始条件を充足するまで当該取得された乱数を一時記憶して、保留が生起するよう制御する乱数一時記憶手段（例えば、第１主遊技図柄保留情報一時記憶手段ＭＪ３２ｂ‐Ａ、第２主遊技図柄保留情報一時記憶手段ＭＪ３２ｂ‐Ｂ）と、
ある保留に関する主遊技用識別情報の変動表示開始条件を充足した場合において、当該ある保留を消化して、当該ある保留に係る前記乱数に基づく当否判定結果に従い、主遊技用識別情報表示部（例えば、第１主遊技図柄表示部Ａ２１ｇ、第２主遊技図柄表示部Ｂ２１ｇ）にて主遊技用識別情報を変動表示させた後に主遊技用停止識別情報を停止表示するよう制御する主遊技用識別情報表示制御手段（例えば、第１・第２主遊技図柄制御手段ＭＰ１１‐Ｃ）と、
主遊技用識別情報表示部（例えば、第１主遊技図柄表示部Ａ２１ｇ、第２主遊技図柄表示部Ｂ２１ｇ）に停止表示された主遊技用停止識別情報が所定態様であった場合、遊技者にとって有利な特別遊技を実行し得る特別遊技制御手段（例えば、特別遊技制御手段ＭＰ３０）と
を備え、
副遊技部（例えば、副制御基板Ｓ）は、
主遊技部（例えば、主制御基板Ｍ）側にて未消化となっている保留数と同数となる保留画像を情報表示部（例えば、演出表示装置ＳＧ）にて表示可能な保留画像表示制御手段（例えば、装図保留情報表示制御手段ＳＭ２２）と、
主遊技用識別情報が変動表示されている期間内において、副遊技用識別情報を副遊技用識別情報表示部（例えば、装飾図柄表示領域ＳＧ１１）上にて変動表示開始した後から確定的に停止表示するまでを本変動として実行可能であり、本変動内において副遊技用識別情報を暫定的に停止表示した後で再び変動表示する擬似変動を一又は複数回実行可能な副遊技用識別情報表示制御手段（例えば、装飾図柄表示制御手段ＳＭ２１）と、
主遊技部（例えば、主制御基板Ｍ）側にて未消化となっている保留の内、所定条件を充足する保留である特定保留が存在している場合、特別遊技の実行期待度が高い旨を示す画像であって前記保留画像とは異なる画像である特定保留存在伝達画像を情報表示部（例えば、演出表示装置ＳＧ）にて表示可能な情報伝達画像表示制御手段（例えば、背景演出表示制御手段ＳＭ２３）と
を備え、
特定保留が未消化となっている間に実行された本変動において、副遊技用識別情報が確定的に停止表示されたことを契機とする第一契機にて特定保留存在伝達画像が表示され得るよう構成されており、特定保留存在伝達画像が表示されないまま特定保留が消化された場合であっても、特定保留の消化時において実行された本変動内にて擬似変動が実行された場合には、当該擬似変動において副遊技用識別情報が暫定的に停止表示されたことを契機とする第二契機にて特定保留存在伝達画像が表示され得るよう構成されており、
前記第一契機にて特定保留存在伝達画像が表示されるか否かは、特定保留が生起した後から当該生起した特定保留が消化されるまでの期間中にて決定される一方、前記第二契機にて特定保留存在伝達画像が表示されるか否かは、当該生起した特定保留の消化時にて決定されるよう構成されており、
前記第一契機にて特定保留存在伝達画像が表示されるか否かは、特定保留が生起したタイミング又は当該生起した特定保留より前に消化される保留の保留数に変化があった後のタイミングにて決定されるよう構成されており、且つ、あるタイミングにて特定保留存在伝達画像が表示されない決定がなされた場合であっても、次回以降のタイミングにて特定保留存在伝達画像が表示される決定がなされ得るよう構成されている
ことを特徴とするぱちんこ遊技機である。